(57)【要約】      （修正有）【課題】マット本体の表面に複数のエアーバッグを並設配置したマッサージ装置を寝具として使用した場合に、快適な睡眠が得られる様にする事を目的とするものである。【解決手段】マット本体１表面の長手方向に複数のエアーバッグ１０を並設配置し、これらのエアーバッグにホース１１を接続し、これらホースによりエアーバッグ内に空気を給排気して膨張収縮を行うものにおいて、エアーバッグをその並設方向に間隔を置いて配置すると共に、これらの間隔にマット本体の上面に向けてエアーを噴出するエアーダクト１７を配設して成る。【選択図】図１
2006087820.tif 000002
【特許請求の範囲】
【請求項１】
マット本体表面の長手方向に複数のエアーバッグを並設配置し、これらのエアーバッグにホースを接続し、これらホースによりエアーバッグ内に空気を給排気して膨張収縮を行うものにおいて、上記エアーバッグをその並設方向に間隔を置いて配置すると共に、これらの間隔に上記マット本体の上面に向けてエアーを噴出するエアーダクトを配設した事を特徴とするエアーマッサージ装置。
【請求項２】
上記マット本体の人体の足を位置させる足側端部に、上記エアーバッグ内に空気を供給するエアーコンプレッサや、このエアーコンプレッサから供給する空気を上記エアーバッグに選択的に供給する切換バルブ等の駆動ユニットを配置すると共に、これら駆動ユニットに隣接して上記エアーダクトに所定温度の温風を送風する送風ユニットを配設した事を特徴とする、上記請求項１に記載のエアーマッサージ装置。
【請求項３】
上記エアーダクトを、人体の下半身部分の風量が上半身部分の風量よりも多くなる様に設定した事を特徴とする、上記請求項１〜２に記載のエアーマッサージ装置。
【発明の詳細な説明】
【技術分野】
【０００１】
本発明は、マット本体の表面に複数のエアーバッグを並設配置し、これらのエアーバッグに空気を給排気することでエアーバッグを膨張収縮させ、マット本体の上に寝ている人体のマッサージを行うエアーマッサージ装置に関する。
【背景技術】
【０００２】
クッション材にて構成したマット本体の表面に複数のエアーバッグを並設配置し、これらのエアーバッグに空気を給排気することでエアーバッグを膨張収縮し、エアーバッグの上に寝ている人体のマッサージを行うものでは、例えば特許文献１に示される様に、マット本体にマイナスイオン発生装置を配置し、より快適なマッサージ効果が得られる様な提案が行われて。
【特許文献１】特開２００４−２１５７５９号公報
【発明の開示】
【発明が解決しようとする課題】
【０００３】
一方、マット式のエアーマッサージ装置は、本来マッサージを行う場合に使用するものであるが、設置スペースの問題や、お年寄りの床ずれを防止する効果がある等により、寝具として使用するケースもある。
【０００４】
そこで本発明は、マット本体を寝具として使用した場合にも、快適な睡眠が得られる様に構成する事を目的とする。
【課題を解決するための手段】
【０００５】
本発明の請求項１の構成は、マット本体表面の長手方向に複数のエアーバッグを並設配置し、これらのエアーバッグにホースを接続し、これらホースによりエアーバッグ内に空気を給排気して膨張収縮を行うものにおいて、エアーバッグをその並設方向に間隔を置いて配置すると共に、これらの間隔にマット本体の上面に向けてエアーを噴出するエアーダクトを配設して成るものである。
【０００６】
本発明の請求項２の構成は、請求項１の構成において、マット本体の人体の足を位置させる足側端部に、エアーバッグ内に空気を供給するエアーコンプレッサや、このエアーコンプレッサから供給する空気をエアーバッグに選択的に供給する切換バルブ等の駆動ユニットを配置すると共に、これら駆動ユニットに隣接してエアーダクトに所定温度の温風を送風する送風ユニットを配設して成るものである。
【０００７】
本発明の請求項３の構成は、請求項１〜２の構成において、エアーダクトを、人体の下半身部分の風量が上半身部分の風量よりも多くなる様に設定して成るものである。
【発明の効果】
【０００８】
本発明の請求項１に記載の構成により、エアーバッグとエアーバッグの間にエアーダクトを配置し、このエアーダクトより空気を噴出する様に構成したことで、マット本体の上に布団を掛けて寝具として利用した場合にも、エアーダクトより噴出する空気により布団の中を適切な温度や湿度に保ち、快適で健康的な睡眠を得る事が出来るものである。
【０００９】
本発明の請求項２に記載の構成により、マット本体の足側端部に駆動ユニットやエアーダクトに温風を送風する送風ユニットを配置したことで、これらユニットを共通の制御回路にて制御を行うことも可能となり、かつ各ユニットを分散配置した場合に比べ、組み立て時の作業性も向上する事が出来るものである。
【００１０】
本発明の請求項３に記載の構成により、エアーダクトから噴出する空気の量を、上半身に比べ下半身の方が多くなる様に構成したことで、例えば冬場にエアーダクトより温風を供給する場合には、胸元や首元への送風による寝苦しさを抑え、所謂頭寒足熱型の快適な睡眠環境を得る事が出来るものである。
【発明を実施するための最良の形態】
【００１１】
本発明による実施例を先ず図１に基づき説明すると、１はマッサージ装置で、ウレタン等のクッション材から構成したマット本体２の略中心部の長手方向に収納溝３を一体形成していると共に、上面に表面マット４を積層し、かつこの表面マットの上面に補強布５を被覆固定している。
【００１２】
又、上記マット本体２の人体が上に寝た場合に足側となる足側端部の右端には、ベース板６を介して例えばウレタン製のコーナー部材７を連結配置していると共に、左端には送風ユニット８を配置し、かつこれらの間には駆動ユニット９を配置固定している。
【００１３】
更に、上記マット本体２の中央部には、複数のエアーバッグ１０・・を長手方向に所定の間隔を置いて並設配置していると共に、これらエアーバッグの底面には、上記収納溝３内に配置したホース１１・・を各々接続し、これらのホースよりエアーバッグ１０・・の空気室１２・・に空気を給排気することで、エアーバッグを膨張・収縮させる様に構成している。
【００１４】
又、上記エアーバッグ１０・・は、周縁の左右両端部に左右一対の固定片１３・・を一体に突出形成し、一方上記補強布４の固定片１３・・対向位置に、左右一対の固定テープ１４，１４を糸１５，１５による縫い合わせ等によって固定し、かつ上記固定片１３・・を周知のホック１６・・等の固定具によって固定テープ１４，１４に着脱自在に固定している。
【００１５】
１７は上記エアーバッグ１０・・の周囲に配置したエアーダクトで、これらエアーバッグの間隔と頭側端部に並設配置した噴出部１８・・と、これら噴出部を連通する連通部１９，１９´とを一体成形して構成し、これらの上面或いは全体を通気性材料にて構成していると共に、一方１９´の足側端部を上記送風ユニット７に接続し、この送風ユニットから内部に送風された温風を少なくともマット本体１の上面に向けて噴出する様に構成している。
【００１６】
これにより、上記マッサージ装置１の上に図示しない布団を掛けて、マッサージ装置を寝具として使用する場合には、送風ユニット８よりエアーダクト１７内に湿度の低い温風を供給して上記噴出部１８・・や連通部１９，１９´より噴出することで、布団の内部を所定湿度でかつ所定温度に維持すれば、快適な睡眠を得る事が出来るものである。
【００１７】
尚、上記送風ユニット８内には、図示しない周知の電気ヒータと送風器とを内蔵し、この送風ユニットより例えば２７℃〜３８℃の範囲の温風を供給し、布団の内部を３２℃前後で湿度を４０〜４５％に保つことで、理想的な睡眠が得られるものである。
【００１８】
一方、上記駆動ユニット９は、例えば図２に示す様に、樹脂製のケース２０内に上記エアーバッグ１０・・に圧縮空気を供給するエアーコンプレッサ２１や、このエアーコンプレッサから供給する圧縮空気を上記各ホース１１・・に選択的に供給する切換バルブ２２、この切換バルブや上記エアーコンプレッサ２１を制御する回路基板２３等を収納配置して構成している。
【００１９】
又、上記実施例ではエアーダクト１７を通気性の材料にて構成しているが、例えば合成樹脂シートやゴム等により構成し、少なくとも上面に多数の噴出孔を穿孔しても良い。
【００２０】
更に上記エアーダクト１７は、噴出部１８・・の人体の下半身部分に位置する部分を太く構成したり、噴出孔の数を多くする等により、下半身部分の空気の噴出量が上半身部分の噴出量より多くなる様に構成しており、これにより、胸元や首元への送風を抑え、所謂頭寒足熱型の快適な睡眠を提供する事が出来るものである。
【００２１】
尚、上記エアーダクト１７の形状や配置は上記実施例に限定されるものではなく、例えば噴出部１８・・は全てのエアーバッグ１０・・間に配置しているが、下半身部分のみに配置しても良く、上半身と下半身への空気の配分や温度を個々に調節する様に構成しても良い。
【００２２】
又、上記実施例では送風ユニット８を駆動ユニット９に隣接して配置し、これにより、マイクロコンピュータ等の制御回路を兼用することで、回路部品の削減や組み立て作業性の向上によるコストダウンを図る事が出来るが、これに限定されることなく、マット本体２の中央や頭側等に送風ユニット８を配置しても良く、かつ送風ユニット８と駆動ユニット９のケース２０とを一体的に構成しても良い。
【図面の簡単な説明】
【００２３】
【図１】本発明の実施例を示す斜視図である。
【図２】同じく駆動ユニットの実施例を示す斜視図である。
【符号の説明】
【００２４】
２    マット本体
８    送風ユニット
９    駆動ユニット
１０  エアーバッグ
１１  ホース
１７  エアーダクト
２１  エアーコンプレッサ
２２  切換バルブ
【図１】
2006087820.tif 000003
【図２】
2006087820.tif 000004